(57)【要約】【課題】むき出しのまま置かれた付箋が汚れないようにするために、積み重ねた付箋を容器に収容しても、付箋を一枚一枚容易に取り出せるようにすること。【解決手段】付箋を積み重ねるとき、付箋本体の裏面の一方の端部に設けられた粘着部の位置が一枚一枚左右交互に来るように積み重ね、取り出し穴を設けた容器に収容することで、最上部の付箋を引っ張り上げると、引っ張り上げた付箋の粘着部により、粘着していた下の付箋の粘着部を設けていない側の端部が取り出しやすいように頭を出し、容器に付箋を収容していても、下部の付箋まで繰り返し行えるようになる。【選択図】　　図１
2004090600.tif 000002
【特許請求の範囲】
【請求項１】
主に細長い短冊状の付箋本体（１）の裏面の端部に粘着剤を付けて粘着部（２）とする際、粘着部（２）の位置が付箋本体（１）の裏面の左端部に来るように置いたとすると、次の付箋本体（１）には、粘着部（２）を裏面の右端部に来るようにして、粘着部（２）の位置が左右交互に来るように積み重ね、取り出し穴（４）を設けた容器（３）に収容して、取り出し穴（４）から積み重ねた付箋本体（１）の最上部の付箋本体（１）の粘着部（２）を設けていない側の端部から頭を出させ、引っ張り出すことにより、積み重ねた付箋本体（１）を容器（２）に収容して使用しても、引っ張り出された付箋本体（１）の裏面に設けた粘着部（２）と粘着している次の付箋本体（１）の頭を、取り出し穴（４）から出させることを繰り返して行うことができるように為された付箋。
【発明の詳細な説明】
【０００１】
【発明の属する技術分野】
本発明は、主に細長い長方形状の短冊状で裏面の一部に粘着剤が付けられ、数十枚積み重ねられて提供されている、一般的に付箋と呼ばれている事務用品について付箋本体裏面に設けた粘着部の位置が左右交互に来るように変えて積み重ねることにより、容器に収容しても取り出しやすく為された付箋に関する。
【０００２】
【従来の技術】
従来、付箋を積み重ねて提供するとき、付箋一枚一枚の裏面に設けた粘着部の位置は、左右どちらかの端部に限定されて積み重ねられているため、積み重ねられた付箋は、容器に収容しておいて、容器を開けることなく容易に取り出すことができなかったため、ほとんど机の上か引き出しの中にむき出しのまま置かれていて、汚れたり、ゴミが付着したり、どこに行ったか判らなくなることが多かった。
【０００３】
【発明が解決しようとする課題】
付箋は、一般的に簡単なメモの代わりに書類や机の上などに貼ったあと、貼る位置を変えたり、用がなくなったら剥がして捨てるため、簡単に貼り付け、取り外しができるように付箋本体の裏面の一部に粘着剤を付けて粘着部としていて、一枚一枚の付箋を積み重ねて最上部に位置している付箋から使用するのであるが、従来の付箋は、付箋本体裏面の左右どちらかの端部に粘着部を設け、重ねる付箋はすべて設けた粘着部で揃えて重ねられており、他方の粘着部を設けていない端部を上にめくりながら一枚一枚付箋を取っていくように構成されているため、取り出し穴を設けた容器に収容しても、容易に一枚一枚付箋を取り出すことができず、従来付箋は、むき出しのまま机の上や引き出しの中に置かざるを得ず、汚れたり、ゴミが付着したり、どこに行ったか判らなくなることが多く、容器に付箋を収容しておいても取り出しやすい付箋が求められていた。
【０００４】
【課題を解決するための手段】
付箋本体の裏面に粘着部を設けるとき、最下部の一枚の付箋本体の裏面の左端部側に設けた粘着部が来た場合、その上の付箋本体の裏面の粘着部は、下の付箋に設けたときとは反対側の右端部に粘着部が来るようにし、同様に積み重ねる付箋の粘着部は、左右交互に粘着部が来るように付箋を積み重ね、取り出し穴を設けた容器に積み重ねた付箋を収容し、取り出し穴から積み重ねた付箋の最上部にある一枚の付箋の粘着部が設けられていない側の端部を引き出しておくことにより、頭を出している付箋の端部を引っ張り上げると、引っ張り上げた付箋の他端裏面に設けられている粘着部が、粘着している下の付箋の粘着部を設けていない側の端部から持ち上がり、取り出し穴から頭を出させることができ、ティッシュ箱からティッシュを一枚引き出したとき次のティッシュが頭を出すように、付箋も繰り返し最上部の一枚を引っ張り出すことで、次の付箋の一部が頭を出させることができ、積み重ねた付箋を容器に収容しておいても、容易に取り出しやすい付箋とすることができるため、付箋が汚れたり、ゴミが付着したり、付箋がどこに行ったか判らなくなることが、従来に比べてきわめて少なくすることができるようになるのである。
【０００５】
【発明の実施の形態】
本発明は、粘着部を設けた付箋を積み重ねるとき、付箋本体の粘着部を設けている側を左右どちらかに揃えるのではなく、粘着部を設けている側が一枚一枚左右交互に来るように積み重ねることにより、容器に収容しておいても、取り出し穴を設けておけば、容器を開けなくとも一枚一枚付箋が取り出せるように為された付箋である。
【０００６】
付箋は、主に横に細長い短冊状で、元々は表裏がないのであり、粘着部を設けることで、粘着部を設けた面を書類や机の上などに粘着させて貼るため、粘着部がある面を裏面としており、本発明も従来の付箋と同様に粘着部のある面を裏面とし、粘着部を設けていない面をおもて面とするのである。
【０００７】
付箋は、主に横に細長い短冊状で、上下・左右同形がほとんどであるので、付箋本体の左端部に粘着部を設けても、３６０度回すと粘着部は右端部に設けられていることになるので、本発明では、机の上などに付箋を置いて動かさないことを前提にして、粘着部を設けている側を上から見て左端部側・右端部側と簡易的に述べているものであり、横に細長い短冊状の付箋であれば、積み重ねる前の粘着部を設ける位置は、従来の付箋と同じく、左右どちらかの端部であれば良いのである。
【０００８】
付箋を積み重ねるときは、最下部の付箋を置いて上から見て、付箋本体の裏面の左端部側に粘着部がある場合、その上に乗せる付箋本体の裏面の粘着部は、右端部側に粘着部があって、下の付箋のおもて面の右端部に上に乗せる付箋の粘着部で粘着させて、下の付箋に重ねて乗せるのであり、その上に乗せる付箋も下の付箋の粘着部がある側とは反対側に粘着部が来るように、交互に積み重ねていくことで、最上部の付箋を引っ張り上げると、引っ張り上げた付箋の粘着部に粘着している下の付箋の粘着部を設けていない側の端部を持ち上げることができるようになるので効果的である。
【０００９】
付箋を積み重ねるとき、同形の付箋でなくても、取り出し口から頭を出させることができれば、最上部の一枚を引っ張り出すことで、次の付箋の頭を出させることができないことはないが、なるべく同形にした方が引っ張り出しやすいので効果的である。
【００１０】
付箋本体の大きさは、積み重ねる付箋ごとに同形の付箋の方が良いが、付箋の色付けは同色であっても色を変えても効果には差がないので、どちらでも良いのである。
【００１１】
付箋本体に設ける粘着部の粘着強さは、弱すぎると、積み重ねた付箋の最上部を上に引っ張って取り出したとき、その下の付箋の粘着部を設けていない側の端部が取り出し穴から頭を出さないうちに、下の付箋から剥がれてしまうので、下の付箋が頭を出すまで剥がれない位の粘着力を有していた方が良いのである。また、強すぎると、下の付箋が次々に引き上げられてしまうので、下の付箋が頭を出すくらいの粘着力にすると効果的である。
【００１２】
付箋本体の形状が横に細長い短冊状でなく、付箋を貼ったとき付箋本体の裏面の左右どちらかに粘着部があるのではなく、粘着部が上や下の位置に来るように貼るような長方形状の付箋であっても、長方形の一辺に粘着部を設けているのであれば、貼り付けるときに粘着部が上に来ようと下に来ようと、横に細長い短冊状の付箋と同じように付箋を積み重ねていけば良いのである。
【００１３】
積み重ねた付箋を収容しておく容器は、付箋の形状と、積み重ねた付箋の高さを考慮して決めれば良いのである。また、積み重ねた付箋の下の方の付箋も取り出し穴から頭が出せるように高さを考慮した方が良いのである。
【００１４】
積み重ねた付箋を収容しておく容器に設ける取り出し穴は、取り出し穴から付箋の最上部の粘着部を設けていない側の端部を出しておき、頭を出させた付箋を引っ張り出すことで、次の付箋も、粘着部を設けていない側の端部を出させないといけないため、容器の上部に設けると効果的である。
【００１５】
取り出し穴の形状は、収容する付箋の形状を考慮して決めれば良いのであり、取り出し穴の縦・横の長さも、収容する付箋の形状・大きさ・長さで決めた方が良いのである。
【００１６】
取り出し穴の縦・横の長さは、収容している付箋の中で、粘着部を設けている一辺の巾より広い巾を、取り出し穴の縦・横どちらか一方で有することで、取り出し穴から最上部の付箋を引っ張り出すことも、それにより次の付箋の頭を出させることもできるようになるのである。
【００１７】
容器の素材は何でも良いが、収容している付箋を設けた取り出し穴から引っ張り出すときの力で、容器も一緒に引っ張られて上がらないような重さがあった方が効果的であるので、容器に重しや磁石を取りつけても良いのである。
【００１８】
容器は、内部に積み重ねた付箋を収容するため、容器の底部や下部が分離できるようにしたり、側面から収容できるように出し入れ口を設けると、付箋の収容が行いやすくなり便利である。
【００１９】
容器の上部に取り出し穴を設ける場合は、容器内部の底部の中央を盛り上げ、かさ上げすることで、最上部の付箋を引っ張り出そうとすると、最上部の付箋本体の裏面の粘着部に粘着している次の付箋の取り出し穴から頭を出す側も引っ張られるのであるが、底部の盛り上がりにより、引っ張り上げる方向に向きやすくなり、取り出しやすくなるので効果的である。
【００２０】
容器に収容している付箋が少なくなり、新しい付箋を継ぎ足すときも、粘着部の位置が一枚一枚反対側に来るように交互に積み重ねるようにすることにより、新しい付箋を継ぎ足しても、取り出し穴から取り出しすことができる。
【００２１】
【実施例】
実施例について図面を参照して説明すると、図１において、裏面の一方端部に粘着部（２）を設けた付箋本体（１）を積み重ねる際、最下部の付箋本体（１）の粘着部（２）が上から見て左側にあるとき、その上に乗せる付箋本体（１）の粘着部（２）は右側に来るように乗せて下の付箋本体（１）のおもて面に粘着させ、その上に積み重ねる付箋本体（１）も同様に下の付箋本体（１）の裏面に設けられた粘着部（２）の位置とは反対側に来るように左右交互に積み重ね、取り出し穴（４）を設けた容器（３）に収容する。
【００２２】
図２では、容器（３）に収容されている付箋本体（１）を上から一枚ずつ取り出すときの使用状態を示す図であり、容器（３）に設けた取り出し穴（４）から最上部の付箋本体（１）の粘着部（２）を設けていない側の端部を引き出しておき、その端部を引っ張りながら最上部の付箋本体（１）を取り出し穴（４）から取り出そうとすると、付箋本体（１）に設けられた粘着部（２）の位置が反対側に来るように交互に積み重ねているため、上の付箋本体（１）の粘着部（２）が粘着しているのは、下の付箋本体（１）のおもて面の粘着部（２）を設けていない側の端部なので、上の付箋本体（１）を引っ張り出すことにより、下の付箋本体（１）の一部も引っ張られ、引き上げられることで、下の付箋本体（１）の一部が取り出し穴（４）から頭を出すことになり、次の付箋本体（１）を取り出しやすくなるのであり、最下部の付箋本体（１）まで繰り返し行えるようになるのである。
【００２３】
積み重ねた付箋本体（１）を容器（３）に収容するとき、容器（３）の上部と底部や下部が分離できるようにしておくと、取り出し穴（４）から入れるより収容しやすくなるので便利である。
【００２４】
容器（３）の上面に取り出し穴（４）を設ける場合は、図３で示すように、容器（３）内部の底面を盛り上げて、かさ上げ部（５）を設けると、最上部の付箋本体（１）を引っ張って取り出したとき、取り出そうとした付箋本体（１）の粘着部（２）の粘着力により、取り出そうとした付箋本体（１）の粘着部（２）を設けた側が、全体的に盛り上がった底部に沿って上方向に向きやすくなるため、次の付箋本体（１）の一部が取り出し穴（４）から頭を出しやすくなるので効果的である。
【００２５】
付箋本体（１）は、どのようなものでも使用できるが、大型の付箋本体（１）より、なるべく横に細長い短冊状の付箋本体（１）の方が、取り出し穴（４）から頭を出させたり、取り出しやすいので効果的である。
【００２６】
最上部の付箋本体（１）を取り出すときは、頭を出している部分を指でつまんで取り出す付箋本体（１）に設けている粘着部（２）とは逆の方向に向かってゆっくり引っ張るり上げると、次の付箋本体（１）の粘着部（２）を設けていない側の端部が取り出し穴（４）から頭を出しやすく効果的である。
【００２７】
積み重ねて収容している最下部の付箋本体（１）も取り出し穴（４）から取り出せるように、容器（３）の巾や大きさを決めると効果的である。
【００２８】
本発明は、収容している積み重ねた付箋本体（１）が取り出しやすければ良く、付箋本体（１）や容器（３）のデザインや意匠を述べているものではないのである。
【００２９】
【発明の効果】
本発明は、以上述べてきたような内容で実施され、以下に記載されるような効果を奏する。
【００３０】
本発明により、付箋を積み重ねて容器に収容して使用したとき、上から付箋を取り出しても、次の付箋が頭を出しているので、取り出しやすいのである。
【００３１】
付箋を容器に収容しておいても、従来のように容器を開けるのではなく、取り出し穴から付箋を容易に一枚一枚取り出すことができるので便利である。
【００３２】
付箋を容器に収容して使用することができるので、従来のように、むき出しのまま机の上や引き出しの中に置かれていて付箋が汚れたり、付箋の粘着部にゴミが付着することが極端に少なくなるのである。
【００３３】
付箋を容器に収容して使用することができるので、従来のように、むき出しのまま机の上や引き出しの中に置かれていて、付箋がどこに行ったか判らなくなることがなくなるのである。
【００３４】
付箋を容器に収容して使用することができるので、従来のように、余分に余った残りを保管するのが面倒で捨ててしまうことなく、最後の一枚まで容器から取り出して使用でき経済的である。
【００３５】
付箋にメモ書きをしないで、ただ目印のために使用した場合、使用済みの付箋は、再び保管するのが面倒なので従来は捨てることが多かったが、容器のへりにでも粘着させておけば再び使用できるので便利である。
【００３６】
従来、付箋は単なる粘着部付きのメモ用紙ということで、あまりノベルティとして活用できなかったが、容器に収容しておいて使用できるようにすることで、ノベルティや宣伝用の事務用品として期待できるようになるのである。
【図面の簡単な説明】
【図１】本発明の透視図である。
【図２】本発明の使用状態を示す図である。
【図３】本発明の参考透視図である。
【符号の説明】
１　　付箋本体
２　　粘着部
３　　容器
４　　取り出し穴
５　　かさ上げ部
【図１】
2004090600.tif 000003
【図２】
2004090600.tif 000004
【図３】
2004090600.tif 000005
【図４】
2004090600.tif 000006
【手続補正書】
【提出日】平成14年11月11日(2002.11.11)
【手続補正１】
【補正対象書類名】明細書
【補正対象項目名】図面の簡単な説明
【補正方法】変更
【補正の内容】
【図面の簡単な説明】
【図１】本発明の実施例図である。
【図２】付箋の積み重ね方法を示す図である。
【図３】容器の参考平面図である。
【図４】付箋を容器に収容したときの断面図である。
【符号の説明】
１　付箋本体
２　粘着部
３　容器
４　取り出し穴
５　突起部